(57)【特許請求の範囲】
【請求項１】
第１の端に引っ掛け穴（２６）を備えたスパナの取手（２３）、特に、調整スパナの取手のための取り替えグリップであって、
上記グリップ（１,１’）は、
端の一方が開口していると共に、プラスチック物質,熱塑性の物質およびゴム類物質の中から選ばれた、少なくともセミフレキシブルな物質から形成されて、上記取手（２３）の少なくとも一部分に内部が適合する本体（１ａ）と、
上記取手（２３）に上記本体（１ａ）を固定するための固定手段（２,１５,１６,２４,２４’,２５）と
を備える取り替えグリップ（１,１’）において、
上記グリップ（１,１’）の上記本体（１ａ）は
上記取手（２３）の上記引っ掛け穴（２６）に一致する位置にある通し穴（２０）と、
上記取手（２３）の輪郭の異なる位置の夫々で、上記取手（２３）の横断面と適合する２重Ｔ字型の形状の断面を有する、軸に沿った見えない内部空間（１ｂ）を備えており、
上記固定手段（２,１５,１６,２４,２４’,２５）の各々は、
少なくとも上記通し穴（２０）の相対する縁を覆う平坦なブロッキング部材（２,９,２４,２４’’,２４’’’）と、
上記通し穴（２０）に入りこんで上記グリップ（１,１’）に上記ブロッキング部材（２,９,２４,２４’’,２４’’’）を固定する固定手段（１５,１６,２５）とを備えることを特徴とする取り替えグリップ。
【請求項２】
請求項１に記載の取り替えグリップにおいて、上記ブロッキング部材（２,９,２４,２４’’,２４’’’）は、接着剤によってグリップ（１,１’）と結していることを特徴とする取り替えグリップ。
【請求項３】
請求項１に記載の取り替えグリップにおいて、上記ブロッキング部材（２,９,２４,２４’’,２４’’’）の各々は、上記本体（１ａ）の各側に備えられる軸方向にそった凹所（７,８,２８）に嵌め込まれ、上記通し穴（２０）が上記凹所（７,８,２８）に配置されていることを特徴とする取り替えグリップ。
【請求項４】
請求項１乃至３のいずれか１つに記載の取り替えグリップにおいて、ブロッキング部材（２,９,２４,２４’’,２４’’’）の少なくとも１つは、上記グリップ（１,１’）の軸方向に嵌め込まれるブロッキング板（２,９,２４）であることを特徴とする取り替えグリップ。
【請求項５】
請求項１乃至３のいずれか１つに記載の取り替えグリップにおいて、ブロッキング部材（２,９,２４,２４’’,２４’’’）の少なくとも１つは、ソケット（２５）の外側縁（２４’’）であることを特徴とする取り替えグリップ。
【請求項６】
請求項１乃至３のいずれか１つに記載の取り替えグリップにおいて、ブロッキング部材（２,９,２４,２４’’,２４’’’）の少なくとも１つは、ブロッキングワッシャー（２４’’’）であることを特徴とする取り替えグリップ。
【請求項７】
請求項１乃至４のいずれか１つに記載のグリップにおいて、上記グリップ（１,１’）に上記ブロッキング部材（２,９）を固定する上記固定手段（１５,１６）は、引っ掛け穴（２６）内で互いに結びつけられる雄のソケット（１５）と雌のソケット（１６）を備えることを特徴とするグリップ。
【請求項８】
請求項７に記載のグリップにおいて、上記ブロッキング部材（２,９）は、上記雄のソケット（１５）が出ている雄板（９）と、上記雌のソケット（１６）が出ている雌板から成ることを特徴とするグリップ。
【請求項９】
請求項１乃至５のいずれか１つに記載のグリップにおいて、上記グリップ（１,１’）に上記ブロッキング部材（２,９,２４,２４’’’）を固定する固定手段（１５,１６,２５）の少なくとも１つは、ブロッキング板（２４）から出ているソケット（２５）であって、このソケット（２５）は、引っ掛け穴（２６）に拘束されることを特徴とするグリップ。
【請求項１０】
請求項７または８に記載の取り替えグリップにおいて、上記ソケット（１５,１６）の各々は、雄・雌相互接続手段を備えた自由縁を有することを特徴とする取替えグリップ。
【請求項１１】
請求項７,８,１０のいずれか１つに記載の取り替えグリップにおいて、上記ソケット（１５）は、上記スパナの上記取手（２３）に存在する上記引っ掛け穴（２６）に嵌り込む肉厚部分（１５ａ,１６ａ）に備えられることを特徴とする取り替えグリップ。
【請求項１２】
請求項１１に記載の取り替えグリップにおいて、上記肉厚部分（１５ａ,１６ａ）は、上記雄板（９）と上記雌板（２）の夫々から出ていることを特徴とする取り替えグリップ。
【請求項１３】
請求項４,８,９,１２のいずれか１つに記載の取り替えグリップにおいて、上記スパナの上記取手（２３）に少なくとも１つ備えられる補足穴（２３ａ）を貫通する雄・雌部材（１０,１１）によって、上記板（９,２）は、互いに結合していることを特徴とする取り替えグリップ。
【請求項１４】
請求項１３に記載の取り替えグリップにおいて、上記グリップ（１）の上記固定板（９,２）は、雄板（９）と雌板（２）とを有し、上記雄板（９）は、引き伸ばされた形状を有すると共に、少なくとも１つの栓（１０）を組み込んでいて、この栓（１０）は、略上記栓（１０）の径方向に延びる切り込み部を有し、上記栓（１０）は、上記雌板（２）の追加穴（１２）と上記スパナの上記取手（２３）にある上記追加穴（２３ａ）とを貫通する弾性アーム（１４）を形成することを特徴とする取り替えグリップ。
【請求項１５】
請求項１４に記載の取り替えグリップにおいて、上記板（９,２）の１つは、雌板（２）であり、この雌板（２）は、上記雄板（９）の上記弾性アーム（１４）を受ける受穴（１２ａ）を設けた少なくとも１つの突出物（１１）を内側表面に有することを特徴とする取り替えグリップ。
【請求項１６】
請求項１５に記載の取り替えグリップにおいて、上記グリップ（１）の各面に一度取りつけられた両方の板（２,９）は、軸を固定する補足の手段（１３）によって互いに統合され、上記補足の手段によって、雄板（９）の弾性アーム（１４）が広げられることを特徴とする取り替えグリップ。
【請求項１７】
請求項１６に記載の取り替えグリップにおいて、上記軸を固定する補足の手段（１３）は、上記栓（１０）の軸に沿った空間に収容される固いピン（１３）であって、上記ピン（１３）は、フレキシブルアーム（１４）を広げることを特徴とする取り替えグリップ。
【請求項１８】
請求項１７に記載の取り替えグリップにおいて、上記固いピン（１３）は、上記雄板（９）から出ていることを特徴とする取り替えグリップ。
【請求項１９】
請求項１５,１６,１７のいずれか１つに記載の取り替えグリップにおいて、雄板（９）と雌板（２）の両方は、それらの内側表面上に周辺つば（２１）を有し、この周辺つば（２１）は、上記グリップ（１）の縦方向の凹所（７,８）の底の溝（２２）に挿入されるようになっていることを特徴とする取り替えグリップ。
【請求項２０】
請求項１５に記載の取り替えグリップにおいて、上記雌板（２）の突出物（１１）は、橋の形状を有することを特徴とする取り替えグリップ。
【請求項２１】
請求項１乃至２０のいずれか１つに記載の取り替えグリップにおいて、すべらない機能を果たすひだ（３）と突起（４,５）を有することを特徴とする取り替えグリップ。
【発明の詳細な説明】
【０００１】
【発明の属する技術分野】
本発明は、スパナの取手、特に、調整スパナの取手のための取り替えグリップに関する。
【０００２】
【従来の技術】
取手にグリップが結合された固定スパナや調整スパナは、非常によく知られていて、上記グリップは、非常に高い摩擦係数を有する表面を使用者につかませるために、一般的にゴムやプラスチック物質で作られている。グリップは、通常スパナの頭部に近い領域から取手の端に近い領域まで取手の一部分を覆うか、あるいは、スパナの頭部に近い領域から取手の端まで取手を覆っている。後者の場合には、グリップは、金属取手が一般的に端に持っている穴を備えていて、上記穴は、スパナが使用されないとき、スパナを吊り下げておくのに使われる。
【０００３】
いかなる場合においても、異なる手の配置でも適切につかまれることができ、かつ、簡単な方法で使用できるために、グリップは、人間工学の特徴をもったデザインや形状を有している。
【０００４】
取手へのグリップの適合や固定のための、よくしられた方法に従えば、取手は、スパナの頭部に近い領域からスパナの端に近い領域まで、低い横断部分を有している。グリップは、取手のこの低い領域に挿入されて結合され、上記低い横断部分の端部の壁面に存在する止め具によって縦方向に固定される。ねじり効果に対処できるように、固定に、接着剤を適用することもできる。
【０００５】
このタイプのスパナの最も重大な欠点は、グリップ無しの状態ではスパナを使用できないことである。また、後者のグリップにおいては、使用によってすりへった場合や、例えば、スパナが床に落ちたり、高温な場所のそばに存在したことにより変形がおきたりするといった、あるとあらゆる思いがけない状況が起こった場合には、取手が、つかむときに不快感を感じたり、機能的でなかったりする、取手の全長のほとんど全てを占める低い領域を有することによって、低い領域を持たない従来の取手や人間工学の取手と比較すると、スパナは適切に使用されることができない。
【０００６】
また、他方の場合では、グリップによって覆われない、取手の部分、つまり、取手の端が存在していて、スパナに大きな力を適用する時に、使用者がつかむ傾向がある部分が減らされている。
【０００７】
既存の第2の解決法は、以前の場合とは正反対で、取手はより低い部分を持たないという性質を有していて、グリップは、スパナの頭部に近い領域から取手の端に近い領域まで取手を覆うように配置されている。この場合には、取手へのグリップの固定は、縦方向の効果やねじり効果に対抗するため、接着剤によって行なわれる。
【０００８】
この第２の解決法では、上記の欠点は改善されてなくて、取手の端はグリップによって覆われていない。また、スパナは、グリップなしで使用されることができるが、使用者は、複雑で手間がかかる作業によって、グリップを取り去ったり、また、グリップを取手に適合させたりしなければならない。つまり、グリップは接着剤によって取手と結合するので、分離は接着剤の付着力に対して遂行されなければならず、その後続いて、取手を覆っている接着剤の層を取り除かなければならない。
【０００９】
既存の第３の解決法では、取手は、頭部の近くの領域から全てを含んだ反対の端まで、全てにわたって、低い横断部分を有するという性質を持っており、その結果、取手の先端に配置されているグリップは、取手の端も覆っている。縦方向の力やねじり力に対抗するように、グリップの取手への固定は、接着剤によって行われている。
【００１０】
この第３の場合には、最初の解決法における欠点が更に強調されていて、スパナは、グリップ無しでは使用できず、取手は全長にわたって低い部分を有していて、低い部分を有していない従来の取手や人間工学による取手と比較すると不快感があり機能的でもない。加えて、分解に際しては、第２の解決法に関して記述された問題がここでも生ずることになる。
【００１１】
最後に、既存の第４の解決法では、スパナの取手は、従来型の形状か人間工学による形状をしていて、グリップは、取手の頭部の近くの領域から全てを含んだ反対の端まで、取手の表面を全て覆って、取手の形状に適合し、取手とグリップは、接着剤によって結合させられる。
【００１２】
この第４の場合には、グリップが、分離したり、取手から弛んだり、すり減ったりした時には、取手が低い部分を持たず、従来型の形状か人間工学による形状を有しているので、使用者は、グリップなしで困難なくスパナを使用することができる。しかしながら、グリップの取り替えは簡単でなく、いかなる場合においても、グリップの取り去りと新しいグリップの取り付けの両方を含んでいる取り替え作業をすばやく簡単な方法で行うことが出来ない。
【００１３】
【発明の概観】
この発明は、スパナの取手、特に、調整スパナの取手に適用する取り替えグリップの技術分野の欠点を回避することを意図しており、上記取り替えグリップは、熱塑性の物質やゴムやそれらと類似の物質によってできていて、非常に高い摩擦係数を有すると共に、金属取手の外形と弛みがなく適合する。そして、引っ掛け穴を覆うように、かつ、取り替えを簡単に自由にできるように金属取手の端のまわりを包み込んでいる。
【００１４】
引っ掛け穴を持った第１の端を有する取手と統合される、スパナの取手、特に、調整スパナの取手のための取り替えグリップにこの発明は関係していて、
上記グリップは、
端の一端を開口していると共に、プラスチック物質と熱塑性の物質とゴム類の物質の中から選択される弾性体質の性質を少なくとも有する物質から構成されて、取手の少なくとも一部分と内部で適合する本体と、
取手の本体を固定する固定手段と
を備え、
グリップの本体は、
取手を引っ掛けるための穴と一致する位置に通し穴と、
取手の形状の異なった夫々の位置で取手の断面と適合すると共に、見えない内部の軸に沿った二重Ｔ字型の形状の断面を有する空間とを備え、
上記固定手段は、
各々が、対向する上記通し穴の縁を少なくとも覆う平坦なブロッキング部材と、
グリップに対し上記平坦なブロッキング部材を固定するように上記通し穴に入り込む固定手段とを備えることを特徴としている。
【００１５】
この発明によれば、ブロッキング部材は、接着剤によってグリップに結合されることができ、ブロッキング部材の各々は、本体の各側に設けられた軸にそった凹所に選択的に取り付けられ、上記通し穴は、ブロッキング手段の露出面がグリップの残りの表面と同じ高さになるような方法で選択的に上記凹所に配置され、主要なエルゴノミックス形式の連続性を備えている。
【００１６】
この発明の実施形態によれば、ブロッキング部材の少なくとも一つは、好ましくは二つだけれども、取手の軸にそって配置されたブロッキング板である。そのようなブロッキング板は、グリップの物質の補強をつかさどる板が固まることによって対抗力を正確にグリップに伝えることができ、板をグリップに嵌め込むための凹所に接着剤を適用することによって、グリップへのそれらの固定を強固なものにすることができる。
【００１７】
他方、他の実施形態によれば、ブロッキング部材がブロッキング板のみである実施形態に付加的に結合させることができるブロッキング部材の少なくとも一つは、ソケットの外側縁である。
【００１８】
更に、この発明の他の実施形態によれば、上記のいかなる実施形態にも付加的に結合されることができるブロッキング部材の少なくとも一つは、ブロッキングワッシャーである。
【００１９】
グリップのブロッキング部材は、引っ掛け穴を通じて互いに結び付けられる雄のソケットと雌のソケットを備えることができる。この実施形態では、一つか、あるいは二つの雄と雌のソケットは独立な部材であって、ソケットは、例えば、雄の板から雄のソケットが出たり、雌の板から雌のソケットが出たりするように、ブロッキング板から出ている。この実施形態では、ソケットの各々は、雄・雌相互接続手段を備えた自由縁を有する一方、それらのソケットの他端は、スパナの取手の引っ掛け穴に適合する肉厚部分に備えられている。
【００２０】
この発明の他の実施形態では、グリップのブロッキング部材の少なくとも一つは、ブロッキング板から出ているソケットであり、上記ソケットの圧力によって引っ掛け穴を維持している。この形式の実施形態は、弾性結合を回避し、かつ、プラスチック部材（板）とスパナの金属取手の間の直接的な接触も回避しているので、使用者が取り扱っている間の摩擦,振動および異音を回避して、これらに続いて起こるグリップの中で何かが弛んでいる感覚も回避することができる。
【００２１】
ソケットが雄や雌の型ではなくて、結果的に相互の接合が意図されていない場合で、両方の板が同一なときには、平坦な各々は、全長が短い唯一のソケットを選択的に有し、このソケットは、グリップの通し穴の開口部に挿入され、かつ、スパナの中心部の穴に同程度入り込み、互いに接触しないような程度でスパナの引っ掛け穴の中に挿入されて、グリップの穴の縁の延長部としての環状のリングを引っ掛け穴の同軸状の間の位置でソケットの内側表面で維持するように、上記グリップの穴に入り込む。
【００２２】
この場合のグリップの固定は、締め代を設けたことによる板の凹所での圧力によって行なわれると共に、それらのソケットによっても行なわれる。フレキシブルな物質によって形成されるグリップにおいて、連結縁を与えるために、板の端と容器の凹所の壁とを底部が広がるようにわすかに傾むかせることは先見性があり、ブロッキング機能をより良い方向へ改良することができる。
【００２３】
固定手段とブロッキング部材に加えて、スパナの取手に設けられた一つ、または、それより多い補足の穴を貫通する雄・雌部材によって、板は、互いに接合するかもしない。また、この実施形態では、ブロッキング板の一つは、直径方向に切断を有する栓を少なくとも一つ組み込んだ、引き伸ばされた形状を有する雄板であるかもしれなくて、上記栓は、グリップの追加された穴とスパナの取手の追加された穴を貫通するフレキシブルアームを形成する。そのような雄の板は、雌板と結合させられることができて、上記雌板は、内側表面上に、雄板のフレキシブルアームを受ける受穴を備えた少なくとも一つの突出物を有している。この突出物の板をつなぐ支持部を橋状の形式にすることもできる。
【００２４】
これらの板をグリップの各面に取り付けた時、これらの板は軸を支持する補足の手段によって互いに堅く結合させられることができ、上記補足の手段は、雄板のフレキシブルアームを広げる。上記広がりを達成するために、上記軸を支持する補足の手段として、栓の軸に沿った空間に収容される固いピンを採用することができて、上記ピンによってフレキシブルアームが広げられる。そのような栓としては、栓が生じる板の外側の方に向かって開かれている空間を有する管状のものが選択される。これら各穴を通して、なめらかなシャフトが圧力によって挿入される、上記なめらかなシャフトは鋳型への注入によって、雄板を得るのと同様な過程で形成するのが賢明であり、板の他方の側に突っ立っていて、非常にわずかな打撃によって、環状の脱離線にそった結合を容易に破り、その外側の端が板と同じ高さになるまで全体が挿入され、穴を塞いで、組み立て品の見栄えも良くなる。最終的に、固いピンは独立な部材となり、雄板から出る。この実施形態では、雄板と雌板の縁は周辺つばを有することができ、上記周辺つばは、グリップの縦方向の凹所の底部の溝に導入されるリップを形成する。
【００２５】
ありふれた従来のグリップにもみられるように、この発明のグリップも、すべらないための機能を果たすひだや突起を端部や側面に有することができる。
【００２６】
【発明の実施の形態】
番号を付けられた図１から図２５を参照することによって、本体１ａを有する取り替えグリップ１が、図１に示されるようにスパナの頭部の始まりの領域から、どのように調整スパナの取手２３を覆うことが出きるのかを見てとることができる。この図での参照番号２の部分は、グリップを取手に固定する板を示しており、この側から見ると、とりわけ雌板としてデザインされている。グリップ１の端は、強い握りを引き出す多数のひだ３を有していて、より大きな面上には、他に球面突起４と装飾溝５があり、これらによって、スパナを持つときにおこるスリップが回避される。
【００２７】
図２と図３では、複数の平行溝６の存在を介して、横断ひだ３が互いに対してどのように接近して形成されているのかを見ることができる。グリップ１の一方の面の縦方向の中心線上には、図１９から図２５で外形が示される雌板２を収容する凹所７がある。
【００２８】
図４には、グリップ１の他方の面を示している。縦方向の凹所８における、上記凹所８の輪郭は、反対側の面の凹所７と都合が良いように同一であり、図１２から図１８に外形が示される雄の固定板９を収容するようになっている。
【００２９】
グリップ１の本体１は、調整スパナの金属取手の断面に適合する内部の断面に、軸に沿った空間１ｂを有しており、これは図５から図７に示されるように二重Ｔ字型の形状になっている。
【００３０】
雄板９は、内側面上に、金属取手の腹部を横断するニップルあるいは栓１０を有しており、この栓１０は、雌板２の内側表面に供給されている突起１１に挿入されるために他方の面まで到達し、栓１０の直径に適合する直径を有する各受け穴１２に嵌め込まれる。
【００３１】
雄板９と雌板２は、凹所８,７によって画定されている各ハウジングの中に寸分たがわず適合して、グリップ１の外見をそこなわないように凹所の外側からはみださない。
【００３２】
雄板９の外部表面は、固いピン１３を有していて、上記ピン１３が、栓の内側に挿入された時、上記ピン１３は、雌板２をしっかり固定するようにフレキシブルアーム１４を放射上に分離させる。
【００３３】
互いに板を固定し合っている雄板９と雌板２はまた、このタイプの調整スパナの特徴であるありふれた吊り下げ穴が見られる領域に、ソケット１５,１６を有し、このソケット１５,１６の縁は、固定板９,２の両方が取り付けられた時、ぴったり嵌め込まれることが可能になるよう機械加工されている。これらのソケット１５,１６の軸にそった穴１７は、スパナの吊り下げ穴（図１参照）を形成するために外面で開いた状態になっている。
【００３４】
図８,９における、番号１８に言及すると、雌板２の突起物１１の内側を支持するために、グリップ１の凹所７の底に角柱の凹所が作られている。雄板９は円柱ニップルあるいは栓１０を有するので、図４,９に見られるように、グリップ１の反対面の凹所８の床部材が穴１９を持つことが必要である。
【００３５】
グリップ１はまた、取手の縁に一致した縁に、肉厚部分２７（図３０参照）を各々の側の内部に有しており、上記内部にある肉厚部分２７には、雄板９と雌板２の各ソケット１５,１６の挿入のための適切な穴２０が作られている。これらの肉厚部分は、スパナの金属取手の穴の輪郭と一致する輪郭を有し、上記肉厚部分の輪郭はグリップの安定した静止をもたらすためにスパナの金属取手の穴の輪郭と寸分たがわず適合している。
【００３６】
例えば、図１４,１５,２０および２２に示されているように、ソケット１５,１６は、各肉厚部分１５ａ,１６ａに備えられ、上記各肉厚部分１５ａ,１６ａは、スパナの取手２３にある吊リ下げ穴２６と噛み合っている。
【００３７】
雄板９と雌板２の両方は、図の実施形態の例では、それらの内側表面上に、長さが大変短い周辺つば２１を有し、この周辺つば２１は、各凹所７,８の壁に隣接する位置で、挿入の目的のために備えられた溝２２の中に挿入される。
【００３８】
この実施形態では、雌板２は、以前に述べたような橋状の形式の角柱の突起物１１を有し、雌板２の上記角柱の突起物１１の各入口１２ａによって、フレキシブルで伸長性があるアーム１４の収容を行なう。図２４,２５から明白なように、これらの橋が存在する領域では、周辺つば２１は中断している。
【００３９】
今、図１６に特別な参照図を構成する。図１６における雄板９は、図１４にしるしをうたれた線上の断面であって、固いピン１３が雄板９を構成する物質の一部をどのように形成しているのか、あるいは、栓１０の管状の外形の軸に沿った穴に固いピン１３がどのように接合するのかをみることができ、組みたて作業の終わりに、ピン１３を栓１０の中に導入するためにピン１３を打ち付けて、環状の線を簡単に破砕して接合する。
【００４０】
上記構成において、グリップが一度壊れると、調整スパナの金属取手の端からグリップ１を簡単に挿入して、グリップをオリジナルが壊れた後に容易く取り替えることができ、その後、板を固定する雄板と雌板の挿入を難なく続けて、最後に固いピン１３をはめ込む。
【００４１】
板９と板２の結合は、穴１２の中に挿入される栓１０やそれに続く固定作業を通じて、また栓１０の内側に挿入されるピン１３によって、ありふれた接着性の結合よりもずっと優れた結合になることができて、この結合法では、グリップを簡単に取り替えることができる。
【００４２】
他方、雄板と雌板９,２は、内接表面を画定し、製品等を分かり易くはっきり区別するために、雄板と雌板９,２には、名前等もきざみ込まれることができる。
【００４３】
今、図２６から３２にわたる参照図を構成する。調整スパナは他の実施形態であり、上記調整スパナのグリップ１’は、流行にのっとって取手２３の全長にわたって広がっていて、本体１ａと二重Ｔ字型の形状である軸に沿った空間１ｂを備えている。グリップ１’は、グリップ１と酷似していて、つかむのにここちよい人間工学の形状を有し、摩擦係数が非常に高い物質で製作されている。
【００４４】
図２７でもっと明白に見られるように、グリップ１’のより大きな面は、グリップ１と幾何学的に同一の形状を有する縦方向の凹所と同一の吊り下げ穴２０とを有し、各ブロッキング板２４はそれらとしっかり適合する、上記板は選択的に選ばれた固いプラスチックで製作され、今の場合、上記板は、グリップ１’の面の高さと同一の高さの面を有している。ブロッキング板２４の端の一つは、中空の円柱の突起であるソケット２５を有し、上記ソケット２５は、グリップ１’（図３０,３２参照）の各開口部２０の中にぴったり嵌め込まれて、スパナを吊り下げる金属取手が備えた番号２６の開口部と同軸上に存在する（図３２参照）。
【００４５】
これらのソケット２５の端は、以前に述べた問題を回避するために接触せず、グリップ１’の固定を強くするためにそれらは取手２３の金属腹部に浸入するが、摩擦による異音は誘発しない。
【００４６】
図３０,３２で見ることができるグリップ１’の内部断面は、取手２３の断面と適合していて、上記グリップ１’の内部断面は、この特別な場合においてＴ字型の形状をしていて、グリップ１’の環状の肉厚部分か、あるいは、内部カラーが、どのように他のグリップ１に現れるものと類似しているか、あるいは、どれだけ穴２６の内側の方へ前進しているかについて見ることができる。
【００４７】
番号２８として言及された各縦方向の凹所の壁や床に接着材が注入された後、固いプラスチック板２４は、取り付けられる。
【００４８】
図２６から図３２で示される実施形態では、板２４は際立って引き伸ばされており、第１の実施形態で２,９に参照される板と非常に似ていて、両方の場合で、グリップ１,１’の全長の大部分を占めていて、スパナを吊リ下げる穴の領域を覆って、中心線上の縦方向で頭部の方に向かって延びている。そのような板の全長を短くすることやソケット２５の外部縁２４’’（図３２,３３参照）を制限することは賞賛されるべきであり、図３４や３５のワッシャー２４’’’も賞賛されるべきである（図３４,３５参照）。
【００４９】
板２４は、グリップ１のねじりに対抗して固まると共に、板２や板９のように、それ自身に名前や参考事項を刻むことによって、従来よりも多くスパナの情報を刻み付けることができ、この結果、製品を選別することが可能になる。板が、吊り下げ穴の周辺のみに制限される場合、すなわち、上記ワッシャー２４’’’を取り扱っている場合は、スパナのデータや参照事項を、図３４を例にとれば、グリップ１’自身や他の独立部材としての板２４’などに刻み付けることができる。
【００５０】
先の解決法のいかなる場合においても、グリップ１,１’は、両側に、固定板２,９,２４やワッシャー２４’’’や板２４’を適切に固定するための凹所７,８,２８を備えていた。しかしグリップは、これらの場合と同様に、片面だけに凹所を備えることもできて、この場合には、板２４のソケット２５の長さは、以前の場合より幾分長くなり、その結果、グリップのブロッキングが強化されたり、ワッシャー２４’’’をきちんと固定したりすることができる。
【００５１】
グリップ１’は堅い構成部材の間の接触がないような方法で構成されている。堅いプラスチック板２４のソケット２５間に接触がないことも図よりみてとることができる。熱塑性の物質やゴム等の物質によって構成されるグリップによって分離することによって、板２４と金属取手２３との間にも接触が生じない。
【００５２】
グリップ１’は、取手の形状によらずどのような種類の調整スパナにも適用することができ、見えない軸に沿った断面に存在する空間は、その全ての位置で取手が有する断面と適合する。このグリップは、既存のスパナに取り付けることができ、ユーザーによって使用することができる。
【００５３】
グリップを他のものと取り替える必要があるときの手続きとしては、グリップ１’からプラスチック板２４を取り出して分離するか、あるいは、グリップの先端から底まで横方向や縦方向からの切断を実行する「かわむき」作業を行う、上記「かわむき」作業には、上記板２４のソケット２５の端を取手２３の穴２６から離すための切開も含んでいる。板２４とグリップ１’の間を結合するとき糊や接着剤が選択されるかもしないが、他の実施形態は、先を見越して、ありつぎ部分等を使って統合を行うかもしれない。
【図面の簡単な説明】
【図１】  この発明に従った取り替えグリップを取手に統合した調整スパナの平面図である。
【図２】  固定板を備えていない図１に示すグリップの平面図であり、それの収容のためにグリップに存在するハウジングを示している。
【図３】  図２に示すグリップの側面図である。
【図４】  図２に示したグリップの反対側の平面図であり、固定板を備えていない時の図を示している。
【図５】  図２の線分Ａ−Ａにそった断面を示している。
【図６】  図２の線分Ｂ−Ｂにそった断面を示している。
【図７】  図２の線分Ｃ−Ｃにそった断面を示している。
【図８】  図３の線分Ｄ−Ｄにそった断面を示している。
【図９】  図４の線分Ｅ−Ｅにそった断面を示している。
【図１０】  雌板は備えられていないが、雌板を見ることができる側からのグリップの図を示している。
【図１１】  反対側からみた図１０と同様な図を示している。
【図１２】  雄の固定板の表面を示している。
【図１３】  雄の固定板の全容を示している。
【図１４】  雄の固定板の底部面を示している。
【図１５】  図１４の線分Ｆ−Ｆにそった断面を示している。
【図１６】  図１４の線分Ｇ−Gにそった断面を示している。
【図１７】  図１２から図１６に示した雄の固定板の片側の面を示している。
【図１８】  図１２から図１６に示した雄の固定板の図１７とは反対側の面を示している。
【図１９】  雌の固定板の表面を示している。
【図２０】  雌の固定板の全容を示している。
【図２１】  雌の固定板の底部面を示している。
【図２２】  図２１の線分Ｈ−Ｈにそった断面を示している。
【図２３】  図２１の線分Ｉ−Ｉにそった断面を示している。
【図２４】  雌の固定板の片側の面を示している。
【図２５】  雌の固定板の図２４とは反対側の面を示している。
【図２６】  この発明の第２の実施形態の取り替えグリップを有する調整スパナの平面図である。
【図２７】  図２６に示したグリップの図である。
【図２８】  第２の実施形態の固定板の内の１つの平面図を示す。
【図２９】  第２の実施形態の固定板の内の１つの側面図を示す。
【図３０】  調整スパナの取手の縦方向の部分的な断面を示す図であって、第２の実施形態の取り替えグリップと固定板も備えられた図である。
【図３１】  図２６の線分Ｊ−Ｊにそった断面を示している。
【図３２】  図２６の線分Ｋ−Ｋにそった断面を示している。
【図３３】  前の実施形態において、固定板に関し異なった形状を有する取り替えグリップを組み込んだ調整スパナの平面図を示している。
【図３４】  この発明において、他の形状の固定板を有するグリップを示している調整スパナの平面図である。
【図３５】  図３４の線分Ｌ−Ｌにそった断面を示している。
【図１】
0004180912.tif 000002
【図２】
0004180912.tif 000003
【図３】
0004180912.tif 000004
【図４】
0004180912.tif 000005
【図５】
0004180912.tif 000006
【図６】
0004180912.tif 000007
【図７】
0004180912.tif 000008
【図８】
0004180912.tif 000009
【図９】
0004180912.tif 000010
【図１０】
0004180912.tif 000011
【図１１】
0004180912.tif 000012
【図１２】
0004180912.tif 000013
【図１３】
0004180912.tif 000014
【図１４】
0004180912.tif 000015
【図１５】
0004180912.tif 000016
【図１６】
0004180912.tif 000017
【図１７】
0004180912.tif 000018
【図１８】
0004180912.tif 000019
【図１９】
0004180912.tif 000020
【図２０】
0004180912.tif 000021
【図２１】
0004180912.tif 000022
【図２２】
0004180912.tif 000023
【図２３】
0004180912.tif 000024
【図２４】
0004180912.tif 000025
【図２５】
0004180912.tif 000026
【図２６】
0004180912.tif 000027
【図２７】
0004180912.tif 000028
【図２８】
0004180912.tif 000029
【図２９】
0004180912.tif 000030
【図３０】
0004180912.tif 000031
【図３１】
0004180912.tif 000032
【図３２】
0004180912.tif 000033
【図３３】
0004180912.tif 000034
【図３４】
0004180912.tif 000035
【図３５】
0004180912.tif 000036